(57)【特許請求の範囲】
【請求項１】
一次電源から正常電圧よりも低電圧条件下において、電動の呼吸器用コンプレッサーシステムを低電圧下で動かす装置であって、
通気システムへガスを供給するために所定の圧力範囲内で一時的にガスを蓄える剛性壁製のアキュムレータ（６）と、
電動モータ（２）と、圧縮するガスの吸入側と、出口圧力で圧縮ガスをアキュムレータ（６）に供給とするために前記アキュムレータ（６）に流体的に接続された出力側とを備えたガスコンプレッサー（４）と、
前記ガスコンプレッサー（４）の出力側と流体的に接続されておりコンプレッサー（４）の出力側を減圧するためのアンロード弁（１２）と、
アキュムレータ（６）から過大な圧力を放出するリリーフ弁（８）と、
前記アキュムレータ（６）内の圧力を計測しアキュムレータ圧を示す信号を出力する圧力センサー（１４）とを備えた装置において、
前記アンロード弁がソレノイド・アンロード弁、であり、前記装置がさらに、前記ガスコンプレッサー（４）の電動モータ（２）に供給される電圧を計測し、前記電動モータ（２）に供給される電圧を示す信号を発生する電圧センサ（１８）と、
前記圧力センサ（１４）と前記電圧センサ（１８）に接続され、前記ライン電圧信号および前記信号表示アキュムレータ圧力を受ける制御論理ユニットとを備え、該制御論理ユニットは、前記ガス圧力信号と前記ライン電圧信号に応答して前記コンプレッサーの出口圧力を低下させるように前記ソレノイド・アンロード弁の制御のための信号を発生するようになっており、これによってコンプレッサー停止が生じる電圧を低下させることを特徴とする装置。
【請求項２】
逆止弁（１０）が前記ソレノイド・アンロード弁（１２）と流体連通するようにかつ前記ソレノイド・アンロード弁（１２）の下流に配置されており、これによってアキュムレータ（６）に含まれる高圧空気が前記ガスコンプレッサー（４）に背圧を与えることを防止するようになっていることを特徴とする請求項１に記載の装置。
【請求項３】
通気システムへガスを供給するために所定の圧力範囲内で一時的にガスを蓄える剛性壁製のアキュムレータ（６）と、
電動モータ（２）と、圧縮するガスの吸入側と、出口圧力で圧縮ガスをアキュムレータ（６）に供給とするために前記アキュムレータ（６）に流体的に接続された出力側とを備えたガスコンプレッサー（４）と、
前記コンプレッサー（４）の出力側と流体的に接続されておりコンプレッサー（４）の出力側を減圧するためのアンロード弁（１２）と、
アキュムレータ（６）から過大な圧力を放出するリリーフ弁（８）と、
前記アキュムレータ（６）内の圧力を計測しアキュムレータ圧を示す信号を出力する圧力センサー（１４）と、を備え、
前記アンロード弁がソレノイド・アンロード弁、であり、さらに、前記コンプレッサー（４）の電動モータ（２）に供給される電圧を計測し、前記電動モータ（２）に供給される電圧を示す信号を発生する電圧センサ（１８）と、を備えた装置をもちいて、
１次供給電源からの正常電圧よりも低電圧条件下において、呼吸器用の前記コンプレッサーの圧力を制御する方法であって、
前記アキュムレータ（６）を圧縮ガスで充填するように前記コンプレッサー（４）を運転し、
前記アキュムレータ（６）におけるガス圧力を計測し、
アキュムレータガス圧力を表す電気的ガス圧信号を発生し、
前記ガスコンプレッサー（４）の駆動モータ（２）のライン電圧を測定し、前記電圧を表す電気的ライン電圧信号を発生し、
命令信号を与えて前記ソレノイド・アンロード弁（１２）の動作を変調し、前記ガス圧力と前記ライン電圧信号に応答して前記コンプレッサー（４）の出口圧力を低下させ、これによって、可能な限り広範囲にわたり、前記コンプレッサーの停止を防止するようになったことを特徴とする方法。
【請求項４】
電動式の前記コンプレッサーが正常なライン電圧の６５％まで低くなった低電圧下で動作することを特徴とする請求項３に記載の方法。
【請求項５】
前記コンプレッサー（４）は連続して圧縮空気をアキュムレータ（６）に供給し、電動式の前記コンプレッサーは低電圧下においてもアキュムレータ（６）内に許容できる最低圧力を保持することを特徴とする請求項３に記載の方法。
【請求項６】
前記コンプレッサー（４）は圧縮空気を呼吸器システムに間欠的にまたは非常用に供給するようになっており、前記コンプレッサー（４）を起動して、必要に応じて前記ソレノイド・アンロード弁（１２）を起動し、低電圧下において、前記アキュムレータ（６）内において許容最小圧力を維持するようになっていることを特徴とする請求項３に記載の方法。
【発明の詳細な説明】
【０００１】
【産業上の利用分野】
本発明は、主に呼吸装置に加圧された呼吸用の気体を供給するためのコンプレッサーの操作に関し、さらに詳細には、節電時などの低電圧下における呼吸装置用コンプレッサーの作動に関するものである。
【０００２】
【従来の技術】
病院における危篤状態の看護に用いられるような人間の呼吸および通気装置は、呼吸の制御に対する要求が判ってくるに連れて、非常に精巧になりつつある。特に、近年の呼吸装置は、危篤状態の看護中における患者に通気するためのコンピュータ制御システムも含み、非常に複雑な制御手段を備えており、これらによって患者の状態や、対処すべき症状に関連した広範囲にわたる生理状態や様々な体格の複数の患者に通気している。このように精巧な呼吸システムを用いられるようになるに連れて、このシステムは創傷を受けた場合や、手術後の患者を最終的に回復するために益々重要となっており、これらの条件下でこのシステムの稼働を中断することは生命の危機に繋がる。これらの呼吸装置が広い用途を持っていることは、危篤状態の看護のために世界中で使用されることを意味し、様々な条件に晒され、この中には予知できない停電も含まれる。例えば、首都圏では、幾つかの条件下で、節電状態が循環することがあり、これは、空気の汚染状態が許容できなくなったとき、利用できる燃料が十分でないとき、あるいは電力供給能力が減少した時である。このような状況下では、病院の補助電源が規定電力を復帰するために起動されることはまずない。そこで、呼吸装置に供給される電圧が低い状態でも、コンプレッサーが故障することのなく負荷に応じて運転できるような強靱で停止しないシステムが求められている。本発明はこのような問題を解決するためのものである。
【０００３】
【課題を解決するための手段】
コンプレッサーシステムも含み呼吸システムにとって、丈夫であり、様々な条件下で稼働し続けられることが重要である。さらに詳細には、最適な主電源が低下した状態でも、中断しないようなコンプレッサーシステムであることが非常に望ましい。特に、主電源のパラメーターの変動があり得るような地域で呼吸装置が使用される場合である。本発明は、主電源の電圧が正常電圧より低下した状態下での、危篤状態の看護用の呼吸器用コンプレッサーを作動させる方法およびシステムを提供する。
【０００４】
通気システムに用いられるガス供給システムは、通常ガス圧縮機を備えており、通気装置で使用される圧縮空気を供給する目的で用いられる。患者用の呼吸マスクと繋がるような通気装置は、準正常状態の系統電圧も含む様々な状態下で作動できなければならない。電源供給が困難な条件でも作動するコンプレッサーシステムにより、呼吸装置全体をさまざま作動状態に対しいっそう安定したものにできる。危篤状態の看護をする間に患者へ通気するために通気装置が用いられている場合、呼吸器用コンプレッサーが低電圧によって停止してしまうと通気プロセスが中断する原因となりうる。従って、通気装置への供給用には、より安定した、適応性のあるコンプレッサーシステムが必要である。
【０００５】
呼吸装置の作動モードの１つに、呼吸装置が外部の圧縮ガス供給装置に接続されることがある。この場合、コンプレッサーシステムは、漏れやちょっとしたシステムの消費によるアキュムレーター内の空気を補充するために断続的に作動したり、あるいはスタンバイモードとなる。高デューティーサイクル時や、連続運転モードにおいては、呼吸装置のコンプレッサーはアキュムレータに空気を供給するために多少に係わらず連続的に稼働し、アキュムレータの空気は呼吸装置によって主空気源として直接吸引される。
【０００６】
簡単に概略を述べると、本発明は、実質的な準正常電圧下において交流電源コンプレッサーシステムを稼働させる装置および方法として実現される。基本的なシステムは、コンプレッサー、リリーフ弁、コンプレッサー出口を減圧するためのソレノイド・アンロード弁あるいは放出弁、アキュムレータ、圧力センサー、および交流電圧センサーを用いている。ソレノイドの下流には、アキュムレータ内の高圧空気によってコンプレッサー出口に背圧がかかることを防止するためにチェック弁を配置してある。呼吸器用コンプレッサーシステムは、大気を圧縮しその空気をアキュムレータへ供給するために働く。この空気は、アキュムレータから通気装置によって引き出される。運気装置からの負荷が低流量の間は、アキュムレータ内の過大な圧力は圧力逃し弁を通って放出される。コンプレッサーモータが起動すると、ソレノイドが開き圧力を逃がすので、アキュムレータからの背圧に対抗しない状態でモータをフルスピードに到達させられる。
【０００７】
連続あるいは高デユーティーサイクルモードでは、コンプレッサーは、通気システムへ継続して圧縮空気を供給することが望ましい。そのため、アキュムレータの圧力を監視し、アキュムレータ内を許容できる最低圧力以上に維持するように、あるいは、アキュムレータ内を所定の圧力範囲に保持するようにソレノイド・アンロード弁を動かす。
【０００８】
呼吸装置が断続あるいはスタンバイモードである場合も、コンプレッサーシステムは同様に必要に応じて稼働する。このようなモードは、漏れや装置における他の少量の消費によって減少したアキュムレータ内の圧力を補充するために用いられる。このモードでは、本発明に係る呼吸器用コンプレッサーシステムを通常通りに稼働させる必要はない。しかしながら、呼吸器用コンプレッサーシステムに供給される電圧が低下した条件下では、本発明に係る呼吸器用コンプレッサーシステムは、アキュムレータを許容できる最低限の圧力以上に、あるいは所定の圧力範囲内に保持するために、アキュムレータの圧力を監視し、コンプレッサーを起動し、さらに、ソレノイド・アンロード弁を励起する。
【０００９】
本発明に係る呼吸器用コンプレッサーシステムは、アキュムレータ内の圧力とこの呼吸器用コンプレッサーシステムに供給されている交流電源の電圧の両方を監視し、ソレノイド・アンロード弁の動作を低交流電圧駆動に適応するように変更することにより、交流電源電圧が低い間であってもアキュムレータ内を許容できる最低圧力以上に保持できる。アキュムレータ内の圧力信号はソレノイド・アンロード弁を制御する制御論理ユニットへフィードバックされる。電源が低交流電圧となった場合は、例えば、交流モータのスピードは低下する。本発明に係る呼吸器用コンプレッサーシステムを用いて、呼吸器用コンプレッサーに供給された交流電圧とアキュムレータの圧力とを監視することにより、モータを通常の停止する電圧よりかなり低い状態で運転できるようにソレノイド・アンローディング弁の動きを変更でき、これによって呼吸器用コンプレッサーの稼働できる有効電圧範囲を広げることが可能である。
【００１０】
本発明に用いることができるタイプの制御論理は、ディジタル論理回路で実現でき、これらは最近の中央制御ユニットに組み込まれているメモリーと内部クロック回路の両方を備えたタイプのものである。この制御論理ユニットは系統電圧センサーおよび圧力センサーからの入力を受け、正常な電圧より低いときでもコンプレッサーが停止することがないようにコンプレッサーモータとアンロード・ソレノイドを動かすようにプログラムされていれば良い。実際には、アキュムレータ内の利用可能な圧力とするためにコンプレッサーを動かしうる予め定めた範囲内に系統電圧がある時に、コンプレッサーモータを駆動するように制御ロジックはプログラムされる。アキュムレータの規定圧力に対して駆動できるような電圧より、電圧が低下した際も、コンプレッサーにかかる背圧によってモータが停止することがないように、制御ロジックはアンコーディング・ソレノイド弁も変調する。
【００１１】
このように、本発明により、低電圧となった時にコンプレッサーが停止することによる問題は、他の方法で可能とされている範囲より広い入力電圧の範囲で解決できる。本発明の原理を例を用いて描いてある図面を参照しながら記載してある以下の詳細な記載に、本発明の他の構成および効果を述べてある。
【００１２】
【実施例】
危篤状態の看護する間に患者へ通気するために用いられる患者用の通気装置は、電動モータによって駆動されるコンプレッサーシステムを備えており、電動モータは病院全体に使用されている電源系統と接続されている。この電源系統は共通した電圧を持っており、利用できる主電源系統からの供給電圧によって決まるが、通常は１１０または２２０Ｖである。停電が起きた場合は、大抵の病院や他の危篤状態の看護に用いられるユニットは補助動力を得るための対策が施されており、補助動力が系統に接続されると、呼吸装置も含めた病院の機器全てを駆動するのに十分な動力が供給される。しかしながら、幾つかの状況では、特に、低い電力しか得られない期間に対し最近設けられているような節電状態が巡ってきた場合は、電源遮断が実際に起きないように主電源の電圧を下げるのが通例である。このような状況では、補助動力システムは起動せず、呼吸装置も含めた病院の機器は低電圧となった電源によって稼働する必要がある。この状況では、コンプレッサーの出口側に接続されているリザーバからの背圧による負荷に対抗してコンプレッサーを稼働することはモータにとって通常できない。低電圧のせいでモータトルクが減少しているからである。このようなことが起きると、呼吸器用のリザーバ内の圧力が呼吸器を稼働することが非常に困難な状況となるまで、コンプレッサーを系統に繋げておくことはできない。
【００１３】
本発明において、これらの通常必要とされる電圧より実質的に低い電圧下で呼吸装置に用いられるタイプの交流電源コンプレッサーを動かす装置および方法を提供する。本発明に係るシステムは系統電圧に接続され、機械的にコンプレッサーを駆動する電動モータを備えている。コンプレッサーの出口は、チェック弁を経てリザーバあるいはアキュムレータに繋がっている。ソレノイド・アンロード弁は制御ロジックによって制御され、この制御ロジックはコンプレッサーが過負荷で停止しないようにソレノイド・アンロード弁を開ける時期を決定するために、アキュムレータの圧力と交流系統の電圧とを監視する。
【００１４】
正常な状態下では、このシステムは、周囲の空気を圧縮し、その空気をアキュムレータに送出するように稼働する。患看に通気するために動くシステムによってアキュムレータからこの空気が引き抜かれる。通気装置の空気消費が低い間は、アキュムレータ内の過大な圧力は圧力逃し弁を通って放出できる。
【００１５】
特定の状態では、エアー圧縮システムは補助空気供給源とみなされ、常に稼働する必要はない。従って、通気装置を稼働するために圧縮空気が不要のときは、このシステムは動かない。システムがこのようなスタンバイモードにあるときは、アキュムレータ内の圧力を許容できる所定の値に保持するために必要となるとコンプレッサーを起動できるように、制御機能はアキュムレータの圧力を監視する。従って、システム内の何処かでリークがあった場合でも、所定のアキュムレータ圧力を保てる。本発明に係る方法によれば、コンプレッサーモータが起動するときにソレノイド・アンロード弁が開き減圧するので、大きな負荷に対抗して動かさなくて良いのでモータはフルスピードに到達する。ソレノイドの下流のチェック弁は、アキュムレータ内の圧力がコンプレッサーやリリーフ弁に対して背圧とならないように働く。コントロールユニットはアキュムレータ圧力と交流系統の電圧を監視し、低電圧の交流が供給されている間でも継続した運転が可能なようにソレノイド・アンロード弁を変調する。制御ユニットは、コンプレッサーの運転を継続可能なように圧力と交流系統電圧の組み合わせできるようにプログラムされていることが望ましく、そうしなければソレノイド・アンロード弁を変調しても、コンプレッサにかかる背圧を減じるためにソレノイド・アンロード弁を操作するとモータが動かなくなる。この方法を用いると、モータは、通常の停止電圧より実質的に低い電圧で動かせ、従って、コンプレッサーを駆動できる有効な電圧の幅を広げられる。
【００１６】
図１に、従来の呼吸用のコンプレッサー・アキュムレータシステムを示しており、ここでは、在来型のモータ２がコンプレッサー４を駆動しており、その出力はアキュムレータ６に繋がっている。圧力逃し弁８が、このシステムの過大な圧力を逃せるように付いている。チェック弁１０は、アキュムレータからの圧力がコンプレッサーからの出力系統へ逆に流入し、背圧となってしまうことを防止するために用いられている。しかしながら、このチェック弁もコンプレッサーの出力系統が起動時において瞬間的にアキュムレータ圧力を検知することを防止できない。ソレノイド・アンロード弁１２はアキュムレータと流体を介して接続されており、アンローディング状態でコンプレッサーを起動できるようになっている。圧力検出器１４は、呼吸システムに供給できる圧力が確立されているか監視するためにコンプレッサーの下流側につけてある。
【００１７】
図２に、本発明に係る呼吸器用コンプレッサーシステムの構成を示してあり、ここでもモータ２がコンプレッサー４を駆動し、従来のものと同様にアキュアムレータ６に空気を供給する。しかし、本発明に係る呼吸器用コンプレッサーでは、アキュイムレータの下流の圧力検出器１４は、コントロール論理ユニット１６へシステム圧力を継続して示すためにも用いられている。この信号は、コンプレッサーへ供給されている交流系統電圧を示す交流電圧検出器１８からの信号と共に制御論理ユニット１８で処理され、ソレノイド・アンロード弁の動きを変調するための指令信号が作られる。このシステムを用いることにより、正常な系統電圧が６５％まで低下しても継続して稼働できることが本発明で確かめられており、この場合でも、アキュクレータ内の実質的な圧力は保持でき、呼吸装置の作動も継続することができる。
【００１８】
稼働中は、マイクロスイッチ圧力センサー、モデル番号２４０ＰＣが圧力を精度良く表示し制御機能に対して電圧と比較できる出力を提供するために用いられた。同様に、ペロフラム（Ｂｅｌｌｏｆｒａｍ）モデル７０ＢＰ背圧調整器、あるいはハンフリー（Ｈｕｍｐｈｒｅｙ）モデル３１０リリーフ弁をシステムリリーフ弁として用いることができる。ソレノイド・アンロード弁はソレノイドで動かされるオン−オフ弁で良く、チェック弁の上流に設けることが望ましい。このソレノイド弁は、広く市販されているものである。これに代わって、ワットマイザー（Ｗａｔｔｍｉｚｅｒ）シリーズのアリド（Ａｌｌｉｅｄ）ソレノイドリリーフ弁もこのような用途に好適である。
【００１９】
ここで述べる好ましい実施例では、アキュムレータは長さ約１８フィートの１・１／４インチの銅製チューブで形成してあり、これを方形のコイル状に曲げてある。この望ましい形態を採用すると、アキュムレータは熱交換器の機能も果たせる。アキュムレータの容積は所定の充填および放出比における圧力変動幅に影響を与えるので、呼吸器用コンプレッサーの所定の最大および最小圧力レベルを制御できるようにアキュムレータの寸法を選択する必要がある。あるいは、密封した容器をアキュムレータとして用いても良く、この場合は剛性のものが望ましい。
【００２０】
低電圧下で呼吸器用コンプレッサーを稼働させるための本発明に係る方法の１つの好ましい実施例においては、電動モータが連続してコンプレッサーを動かしアキュムレータをチャージすることが望ましい。アキュムレータの出口圧力およびモータに繋がる交流系統の電圧は監視され、アキュムレータの圧力および交流系統の電圧を示す電気信号は論理制御ユニットに受け入れられ、コンプレッサーの出口圧力を低くすることにより、コンプレッサーが停止してしまう電圧を低くできるようにソレノイド・アンロード弁の動作を変調する指令信号が作られる。この制御論理ユニットは、アキュムレータ内を許容できる最低圧力に少なくとも保持できるようにソレノイド・アンロード弁を動かす。ソレノイド・アンロード弁はアキュムレータが所定の圧力範囲となるようにも動かされる。
【００２１】
本発明に係る異なる望ましい実施例における制御方法では、コンプレッサーシステムが断続的に、あるいはスタンバイモードとして必要な時に運転される。このモードで、リークやシステムの小容量の放出による圧力減少には対応でき、アキュムレータ内の圧力を確立するために短いデューティーサイクルでコンプレッサーを動かせる。正常な電圧より低くなった電圧が呼吸器用コンプレッサーシステムに供給されると、本発明に係る呼吸器用コンプレッサーシステムはアキュムレータ圧力を監視し、コンプレッサーモータを起動する。このスタンバイモードにあるコンプレッサーモータを制御するために、コンプレッサーモータは系統２０によって制御論理ユニットと電気的に接続されており、さらに、この制御論理ユニットは、アキュムレータ内を許容できる最小限の圧力に保持するために必要となるとソレノイド・アンロード弁を起動する。ソレノイド・アンロード弁は、アキュムレータ内を所定の圧力範囲に保持するためにも動かされる。
【００２２】
本発明に係る制御ユニットは、１つあるいはそれ以上のセンサーからの入力に基づき外部の電気機械要素を制御するためにディジタルプロセッサーを用いる技術として良く知られたタイプのものである。特に、この制御ユニットは、内部クロックとランダムおよび固定メモリーを備えたマイクロプロセッサーで構成できる。固定、あるいはリードオンリーメモリー（ＲＯＭ）は通常、マイクロプロセッサー用の制御ロジックを収納しており、その内部動作を規定する。ランダムアクセスメモリー（ＲＡＭ）は、計算を行うために用いられる情報を収納し、検索するためにマイクロプロセッサーによってアクセスされる。あるいは、制御ユニットは、プログラマブルな論理アレーとメモリー装置によっても構成でき、タイミング装置との組み合わせで他の論理要素を用いることもできる。本発明の制御ユニットは、アキュムレータと繋がった圧力センサーおよびコンプレッサーモータに用いられる系統の電圧と繋がった電圧センサーからの入力を受け取る。制御ユニットは、次に、これらのセンサーからの入力に基づき、他の方法で可能な場合より低い系統電圧でもコンプレッサーが停止しないようにコンプレッサーモータとソレノイド・アンロード弁を制御する。この望ましい実施例においては、制御ユニットはコンプレッサーモータがオンとなると冷却ファンも動かし、動作時間が１０分を経過する度に凝縮水放出弁を１／２秒オープンする。この望ましい実施例においてコンプレッサーモータおよびアンロード・ソレノイドを制御するプログラムは以下の通りである。
【００２３】
0003672938.tif 000002
0003672938.tif 000003
【００２４】
用語解説：
サブスクリプト「ｉ」は、現在の時間間隔を示す
サブスクリプト「ｉ−１」は、先行する時間間隔を示す
（時間によって変動する値を起動時に適正に初期化する回路がある。）
ＯＮ／ＯＦＦ  は通気装置からの信号を示す；０はオフ、１はオンである。
ＡＣ＿ＬＯＷは交流系統の監視信号を示す；０は−２０％以下、１は−２０％以上
ＡＣ＿ＴＯＯ  ＬＯＷは交流系統監視信号を示す；０は−３５％以下、１は−３５％以上
Ｍ１はコンプレッサーモータ指令；０はオフ、１はオン
Ｐ１５はＸＤＵＣＥＲ圧力出力；０は１５ＰＳＩＧ以下、１は１５ＰＳＩＧ以上
Ｐ２５はＸＤＵＣＥＲ圧力出力；０は２５ＰＳＩＧ以下、１は２５ＰＳＩＧ以上
【００２５】
このプログラムは以下のロジックに対応している。
１．モータを起動するために、コンプレッサーモータの交流系統電圧は正常な系統電圧の２０％以下であってはならない。
【００２６】
２．系統電圧が正常の２０％以内であれば、通気システムからの要求があればモータのスイッチを入れる。
【００２７】
３．系統電圧が正常の２０％以内であっても、通気システムがコンプレッサーの駆動を必要としなければ、アキュムレータ圧力を所定のレベルに保持するために必要なときにモータを駆動する。
【００２８】
４．モータが動いており、電圧が正常な系統電圧の３５％以内であれば、モータは動いたままとする。
【００２９】
0003672938.tif 000004
【００３０】
用語解説：
サブスクリプト「ｉ」は、現在の時間間隔を示す
サブスクリプト「ｉ−ｎ」は、以前の時間間隔を示す。「ｎ」は、フルスピードに達するのに十分大きなモータ時間を設定する
（時間によって変動する値を起動時に適正に初期化する回路がある。）
ＳＯＬ１はソレノイドの現在状態を示す；０はオフ、１はオンである。
ＡＣ＿ＬＯＷは交流系統の監視信号を示す；０は−２０％以下、１は−２０％以上
ＡＣ＿ＴＯＯ  ＬＯＷは交流系統監視信号を示す；０は−３５％以下、１は−３５％以上
Ｍ１はコンプレッサーモータ指令；０はオフ、１はオン
Ｐ１０はＸＤＵＣＢＲ圧力出力；０は１０ＰＳＩＧ以下、１は１０ＰＳＩＧ以上
Ｐ１５はＸＤＵＣＥＲ圧力出力；０は１５ＰＳＩＧ以下、１は１５ＰＳＩＧ以上
ＰＲＥＳＳ＿ＩＮＣはアキュムレータの方向を示す変数である。
ＰＲＥＳＳＵＲＥ  ＣＨＡＮＧＥ；０は減少、１は増加
【００３１】
このプログラムは以下のロジックに対応している。
１．モータがオンしたらいつでもアンロード・ソレノイドは励起され、モータがフルスピードに達するまで励起されたままとなる。
【００３２】
２．  系統電圧が予め決めた正常な系統電圧の６５％から８０％の範囲内であれば、アキュムレータを所定の範囲に保持するようにアンロード・ソレノイドは変調され、本例では１０と１５ＰＳＩＧの間である。
【００３３】
上記のプログラムが特定の用途に有効であるとしても、あるいは、特定の通気装置のためであるとしても、この分野の技術として、この種のコントローラのプログラムは他のシステムにおける異なったパラメータに対応するために多少変更することが必要となることは通常起きうることであると言える。
【００３４】
【発明の効果】
以上に説明し、この分野の技術として明らかなように、本発明は、コンプレッサーシステムの能力を実質的に向上し、系統電圧が低い場合であっても運転できるようにしたものである。さらに、このシステムは、比較的簡素な入力により完全自動制御が可能であり、信頼性の高い部品に基づいている。発明を特定の構成で示し説明しているが、本発明の範囲内で様々な変形が可能であることは言うまでもない。
【図面の簡単な説明】
【図１】従来の呼吸器用コンプレッサーシステムのコンプレッサー・アキュムレータシステムを示す図面である。
【図２】本発明を示すブロック図であり、主要なコンポーネントの繋がりを示してある。
【符号の説明】
２・・モータ
４・・コンプレッサー
６・・アキュムレータ
８・・リリーフ弁
１０・・チェック弁
１２・・ソレノイド・アンロード弁
１４・・圧力センサー
１６・・制御論理ユニット
１８・・電圧センサー
２０・・制御線
【図１】
0003672938.tif 000005
【図２】
0003672938.tif 000006